Podtech/llm-jp-corpus-v4-ja_patent huggingface dataset:
(57)【要約】【課題】シャツの襟は、ネクタイをしないで第一釦、第二釦を開けて着用した時に、シャツの襟が跳ねたり、乱れてしまい、釦やフォックなどを付けると、デザイン性を損なうという欠点があった。本発明は、襟が跳ねたり乱れたりするのを防止し、デザイン性も損なわない様にする為に、襟の内側に挟み込むマグネットを提供する。【手段】磁石（１）を襟裏面の内部に装着（縫い込み）し、シリコンシートで包んだ磁石（６）を台襟部分の外面に向けて内部に装着（縫い込み）する。【選択図】図４
2013044080.tif 000002
【特許請求の範囲】
【請求項１】
厚さ約０．５ミリ、直径１３０ミリ、中心に２０ミリの穴の開いた丸型の磁石（１）で、襟の内側面（３）に接着芯を用いて固定接着する、シャツの襟跳ね防止マグネット。
【請求項２】
厚さ約１ミリ、直径１１５ミリの丸型の磁石を、幅２０ミリ、長さ３５ミリのシリコンシートに包んだ磁石（６）で、台襟表（７）と台襟裏（８）の指定の位置に挟み込む、請求項１の、シャツの襟跳ね防止マグネット。
【発明の詳細な説明】
【技術分野】
【０００１】本発明は、ネクタイをしないで第一釦、第二釦を開けてシャツを着用した時にシャツの襟が跳ねたり、乱れたりするのを防止し、さらに釦を全部留めた時も、襟先が乱れず、なおかつ表には見えない構造になっている為、見た目もデザイン性を損なわない様にする為の、マグネットに関するものである。
【背景技術】
【０００２】従来はシャツの襟が跳ねたり、乱れたりするのを防止するには、襟先の裏面にフォックや釦などを付ける方法があった。
すなわち、襟先の左右の先と身頃の左右にフォックや釦などを付けて、襟の乱れを防止するものである。
また、襟先に芯とは別に保型材が配置されている衣服（特許文献１）や、シャツの襟にカフス釦を装着して襟の跳ねを防ぐ、シャツ襟カフス釦口（特許文献２）や、シャツ襟の剣先にマグネットを装着して襟先を固定する、シャツの襟部固定具（特許文献３）や、襟裏部分に釦穴を開け身頃に釦を付けるワイシャツ（特許文献４）や、襟裏に止め具を付ける、スナップ式のワイシャツ襟（特許文献５）や、シャツ襟の剣先と身頃を釦などで留めるワイシャツ（特許文献６）などが、知られている。
【先行技術文献】
【０００３】
【特許文献１】特開２００６−３２８５７９号公報
【特許文献２】実用新案登録第３１１７２２９号公報
【特許文献３】実用新案登録第３１４４４５４号公報
【特許文献４】実開平５−９６００１号公報
【特許文献５】実開平４−７３９０３号公報
【特許文献６】実開平３−１０３２０３号公報
【発明の概要】
【発明が解決しようとする課題】
【０００４】  従来の跳ね防止方法には、次のような欠点があった。
（イ）、襟の左右、身頃の左右に、手付けによってフォックを付けるのが面倒だった。
（ロ）、フォックの色目も数が限られていて、色が合わないと見た目が綺麗に見えなかった。
（ハ）釦の場合も色目も大きさも限られていて、合わないと見た目が綺麗に見えなかった。
（ニ）釦やフォックなどが見えてしまうと、デザイン性を損なってしまう事があった。
（ホ）従来のフォックや釦は、取れてしまい、紛失してしまう事があった。
本発明は、以上の問題点を解決する為に発明されたものである。
【課題を解決するための手段】
【０００５】  本発明は、磁石（１）を襟裏面の内部に装着（縫い込み）し、シリコンシートで包んだ磁石（６）を台襟部分の外面に向けて内部に装着（縫い込み）、以上の構成により成る、シャツの襟跳ね防止マグネットである。
【発明の効果】
【０００６】  本発明を使用する事によって、襟の跳ねや、乱れを防止する事が出来る。
また着用時や、洗濯をした場合の、釦、フォックなどの紛失も防止出来る。
更にシャツ縫製の際の手付け、機械付けのほつれ等の問題も解消出来る。
また、本発明は、磁石により一定の位置が指定されている為に、シャツを保管する際の、襟の型崩れを防止する事も出来る。更に表からは見えない為にデザイン性を損なう問題も解消出来る。
【図面の簡単な説明】
【０００７】
【図１】図１は本発明の裏襟内側部分の正面図
【図２】図２は本発明の襟部分の裏からの正面図
【図３】図３は本発明の台襟部分の表からの正面図
【図４】図４は本発明の襟と台襟部分が縫製されてから襟を立てた正面図
【図５】図５は本発明の使用状態を示す正面図
【発明を実施するための形態】
【０００８】  以下、本発明の実施の形態を説明する。
（イ）、磁石（１）を裏襟の内側面（３）に接着芯（２）を用いて固定接着する。
（ロ）、襟表面（４）と裏襟（５）を縫製して、磁石（１）と接着芯（２）を見えない様に内側に収める。
（ハ）、台襟表（７）と台襟裏（８）の間に、シリコンシートで包んだ磁石（６）を指定の位置に挟み込む。
（二）、襟（９）と台襟（１０）を、縫い合わせる。
（ホ）、縫い合わせた後、襟（９）を通常に折り曲げると、磁石（１）とシリコンシートで包んだ磁石（６）が接着して、襟の型が固定される。
本発明は、以上の構成より成る。
本発明を使用する場合は、シャツの縫製の途中で、襟（９）と台襟（１０）を作成する時に、左右の襟端の内部と台襟左右内側に、本発明の形態を施してから、シャツの縫製を完成させる。
【符号の説明】
【０００９】１．磁石
２．接着芯
３．襟の内側面
４．襟表面
５．裏襟
６．シリコンで包んだ磁石
７．台襟表
８．台襟裏
９．襟
１０．台襟
【図１】
2013044080.tif 000003
【図２】
2013044080.tif 000004
【図３】
2013044080.tif 000005
【図４】
2013044080.tif 000006
【図５】
2013044080.tif 000007
(57)【要約】      （修正有）【課題】安く、安全に屋根の雪おろしを軒下に落とさずに雪捨て場まで輸送する機械を提供する。【解決手段】ホース１４の先にじょうご型の容器８を取り付けて、羽根車１０の回転と落差で屋根９の雪を軒下に雪を落とさずに雪捨て場１７に輸送する。軒下通路の雪はスクリユー付きホースを繋げ遠くの雪捨て場まで輸送できる。人５は箱４の中でリモコン６で操作する。【選択図】図１
2013044224.tif 000002
【特許請求の範囲】
【請求項１】
人は箱４の中で  リモコン６を使い  操作するので安全である。クレーンの腕２で  ワイヤ７を操作して  屋根９に沿って上の方へ  容器８移動する。  雪は網１１を通り  羽根車１０が回転している中を  容器８からホース１４を通り  ホース１６で  雪捨て場１７に雪は溜まる。  雪は軒下に落さないで  雪捨て場１７まで運ぶので能率が良い。  又  軒下、通路  庭の雪も  スクリユー２４付きホース２３を繋げれば  遠くの雪捨て場１７まで  輸送出来るので  これも能率が良い
【発明の詳細な説明】
【技術分野】
【０００１】屋根の雪を  雪捨て場まで輸送するに  関するものである
【背景技術】
【０００２】人力よる屋根の雪おろしは  急斜面で高い所であり  危険で重労働である。
軒下に落とした雪を  又  運ぶのも重労働である。山間部では雪が多く降り  老人宅が多く  老人  女の人が  雪おろしで死亡  怪我人が多数出ている。
又  屋根に雪が多く積もっているとき  地震が起きないか不安です。
雪おろし道具として  スコップ  スノウダンプ  雪おとし棒等がある。ロープ  滑車  板スクリユーコンバヤ等を使い  軒下に雪を落とす装置が有るが  設備費  維持費  エネルギーが必要である。  無落雪屋根は補強工事費、建築費が高くなる。
【発明の開示】
【発明が解決しようとする課題】
【０００３】山間部で多い老人、高い所が恐い人、このような人は  雪がやや多く積もると  雪おろしをする人を探す。  雪おろしをして死亡、怪我人が多数出ました（２０１１年）  雪おろしは重労働であり  安く安全な屋根の雪処理する技術、機械を社会的に求められている  屋根に電気  灯油  水等で雪を溶かす方法は  エネルギー代  設備費  維持費等が必要である。これはエネルギーＣＯ２削減に逆効果である。屋根に多く雪が積もっている時  地震が来ないか心配である。軒下に雪を落とすと  その雪の除雪も重労働である。インタークイヤド（株）より  雪国の１７万人から聞いたモニターの声、家族で雪おろし  ８９％、足元が滑る、屋根から落ちそう、雪を下ろす人が来ない、頼む人もいない、雪を落とす場が無い、とにかく一生懸命落とすだけ、高齢化、除雪が負担、楽に落とすのを教えて等である
【課題を解決しようとする手段】
【０００４】クレーン車１から伸びた  クレーンの腕２から  安全ベルト３で  吊り下げられたボックス４の中に  人５が居てリモコン６で  ワイヤ７を操作して  じょご型の容器８を屋根９の上の方へ  雪の中を羽根車１０が  少し見える位で屋根に沿って移動する  雪は網１１を通り抜け  羽根車１０から容器８に入り  雪は空気も混じり回転しながらホース１４に入り  ホース１５を通りホース１６で  雪捨て場１７に雪はたまる。  羽根車１０はモーター１２で  回転している  容器８の下１９の位置で  容器８が上下にリモコン６で  調節出来るようになっている  網１１の目の大きさはホースの内径の半分位がいい    大き過ぎると凍った雪で  ホース１４で詰まる  ソリ１８が危険物  硬い物に当るとセンサー１９が働き  容器８は自動的に移動を止める。
又  危険物に容器８が当りそうだと人５が    リモコン６で移動を止め  左右下の方へ移動して  安全で雪のある方へ  雪おろし機を移動して又  雪おろしを始める。  容器８の下１９の位置で  容器８が上下にリモコン６で  調節出きるようになっている。モーター１２の電源１３は  クレーン車１から  クレーン車の腕２を通り来ている  ソリ１８は容器８の下に取り付けてあり  屋根の上を移動し易くなっている。  ホース１６と雪捨て場１７で雪が接触すると  ホース１４、ホース１５ホース１６で雪が詰まる。雪捨て場の落差が少ない時は  ホース１６にスクリユー２４を  取り付けたホース２３を繋ぐと  遠くの雪捨て場１７まで  能率良く雪を運ぶ事が出来る。  スクリユー２４はモーター２２で  ギヤ２５を通し動かす    ワイヤ２０は  クレーンの腕２から吊り下げられ  ホース１５ホース１６は  容器８の移動に合わせて動く。
【発明の効果】
【０００５】  屋根の雪を軒下に落とさずに  ２０ｍ〜五十ｍ先の雪捨て場まで運ぶので  能率が良い  （軒下に下ろすと又  除雪が必要である）。軒下  通路  庭の雪と  雪捨て場の落差が少ない場合は  スクリユー２４付きホース２３を繋ぎ  雪捨て場１７まで  能率良く雪を運ぶ事が出来る。  クレーンの腕２に取り付けたボックスの中で  リモコン６を使い操作するので  安全であり、死亡、怪我人が少なくなる。    屋根にいろんな装置を（融雪装置雪おろし装置等）取り付けるとその費用  維持費  エネルギー代が必要だが  この雪おろし機は  屋根に何も取り付け無いので  その費用は必要ない。
野菜畑の除雪  雪崩の起きそうな山の斜面も  除雪出来る場合が考えられる。
【発明を実施するための形態】
【０００６】  雪の降る前に  雪おろしする家の  クレーン車１の置き場、家の建坪  屋根の形、電線アンテナの線、電話線、屋根の上や周りの危険物、障害物、庭石  壊れやすい物、家の周りの除雪して欲しい面積、幅  長さ  雪捨て場と除雪する所の距離と落差、家の雪おろしは  どれ位降ったら何処と  何処を雪おろしと除雪するか  何処は出来ない等を  図面に記入して  契約する。契約した家を優先して雪おろしをする。
雪おろしは建設会社がクレーンを持っているので  主になって雪おろしをする事になる。
【図面の簡単な説明】
【０００７】
【図１】  本発明の斜視図である。
【図２】  本発明の斜視図である。
【符号の説明】
【０００８】    １    クレーン車
２    クレーン車の腕
３    安全ベルト
４    箱
５    人
６    リモコン
７    ワイヤ
８    容器
９    屋根
１０  羽根車
１１  網
１２  モーター
１３  モーターの電源
１４  ホース
１５  ホース
１６  ホース
１７  雪捨て場
１８  ソリ
１９  センサー
２０  ワイヤ
２１  ホース２３の電源
２２  ホース２３のモーター
２３  ホース
２４  スクリユー
２５  ギヤ
【図１】
2013044224.tif 000003
【図２】
2013044224.tif 000004
(57)【要約】【課題】夏の暑さを解消し熱中症を防ぎ、電力不足も解消する。【解決手段】太陽光スターリングエンジンの応用で、風を作り、またこの風で発電する。【選択図】図１
2013044325.tif 000002
【特許請求の範囲】
【請求項１】
ソーラークッカーで熱源を作り（または、集め）スターリングエンジンを回す、太陽光スターリングエンジンとブロワーをつなぎ、風を作る。
【請求項２】
上記の太陽光スターリングエンジンでブロワーを作動し、この風で風力発電する。
【請求項３】
太陽光スターリングエンジンで、扇風機を回す。
【請求項４】
太陽光スターリングエンジンで扇風機を回し、この風で風力発電する。
【請求項５】
太陽光スターリング発電で作った電気でクーラーを作動する。
この発電は、太陽光スターリングエンジンで発電機をつなげたもの。
【請求項６】
モーターなどの動力を使うすべてに、太陽光スターリングエンジンを使う場合。
【発明の詳細な説明】
【技術分野】
【０００１】太陽光スターリングエンジンの応用
【背景技術】
【０００２】太陽光でお湯を沸かす機械に、ソーラークッカーがあります。
また、熱源でエンジンを回すものに、スターリングエンジンがあります。
【発明の概要】
【発明が解決しようとする課題】
【０００３】夏の暑さ対策と、電力不足対策。
【課題を解決するための手段】ソーラークッカーのパネルで作る（または、集める）熱で、スターリングエンジンを回し、これとブロワーをつなげて風を作り、この風で風力発電する。
また、このエンジンに扇風機を付ける。
【発明の効果】夏の暑さが解消され熱中症が減り、電力不足が解消される。
【図面の簡単な説明】
【０００４】
【図１】本発明の実施形態を示す太陽光スターリングエンジンブロワー風力発電と太陽光スターリング扇風機の図面。
【図１】
2013044325.tif 000003
(57)【要約】      （修正有）【課題】通常垂直軸風車は、水平方向３６０度のどの方向からの風を受けても回転するが、構造上、回転翼一周の半分が風に逆らって回転するので、回転力が落ちる。【解決手段】回転翼の風に逆らう部分を、風防板１で遮蔽して、回転力を上げる。このため、風車本体が指向性をもつので、風向センサー４からの信号で、風車本体を正しい方向に向けさせるモーターを取り付け、風車本体の方向を、自動で何時も正しい方向にコントロールする。【選択図】図１
2013044323.tif 000002
【特許請求の範囲】
【請求項１】
垂直軸風車に於いて、回転全周の半分が風向に逆らいマイナストルクとして、回転力を弱めているのを防ぐため、風向に逆らう半周に、風防板を取り付けて、風車の回転力を上げる。
【請求項２】
風車が指向性をもつため、風向センサーを取り付け、これと風車本体の方向の偏差を検出し、この信号で風車本体の方向をモーターで修正する。
【発明の詳細な説明】
【技術分野】
【０００１】本発明は、垂直軸風車の回転翼の内、風に逆らって回転する約半周分を、風防板で遮蔽して、風車回転の抵抗になる部分を減らし、回転力を上げる。【０００２】風車に取り付ける風防板の為、風向に対する指向性をもつために、風向センサーを取り付け、これと風車の方向との偏差を検出しその信号で、風車本体の方向を修正する。
【背景技術】
【０００３】従来の、垂直軸風車は、半周が風向に逆らって回転するので、回転力を阻害しているので、これを改善する。
【発明の開示】
【発明が解決しようとする課題】
【０００４】垂直軸風車の回転力を上げるため、風向に逆らって回転す翼の部分に風が当たらないように風防板を取り付ける。【０００５】上記改造により、風車が指向性をもつため、風車本体の方向を、自動的に、正しく風の方向に合わせる。
【課題を解決するための手段】
【０００６】風向に逆らって回転する翼の部分を、風防板で遮蔽する。【０００７】風向センサーを取り付け、風向センサーと、風車本体の向きとの偏差を増幅して、モーターで、風車本体の方向を修正する。
【発明の効果】
【０００８】風車翼の内、風向に逆らって回転する部分が無くなるので、回転力が、増加する。【０００９】風車本体の方向が、自動的にいつも正しい方向になる。
【発明を実施するための最良の形態】
【００１０】風車翼の内、風の流れに逆らって回転する部分を覆う風防板は、１８０度以上に約２１０度を覆うようにする。【００１１】風防板を、全周の１／２以上にする理由は、回転翼の中心部分は、風の流れを受けても殆ど、回転力にはならないのと、回転軸の軸受けが、取り付けやすくなる。【００１２】回転数を減らさずに、回転力を強くするには、直径をあまり大きくしないで、翼の面積を大きくする。図３の  ｈ  を大きくすると、直径を増やさずに翼面積を増やして、回転力を上げることが出来る。【００１３】風向センサーと、風車の方向の偏差を検出とき、偏差角度の大小よりも、左または右の偏差を検出し、その信号で、風車の方向を、左または右に修正するようにする。
【産業上の利用可能性】
【００１４】風力発電に利用できる。
【図面の簡単な説明】
【００１５】
【図１】風車本体の立体図を示し、風防板が全体の半分以上を覆い、約２１０度に亘っている。上部の矢羽根は風向センサーである。
【図２】風車本体の上面図で、風の方向と回転方向を示す。
【図３】風車本体の正面図で、上部に風向センサーの矢羽根、下部に発電機と、風車を正しく風上に向ける為のウォームギアとモーターを示す。
【図４】風車本体の側面図で、風の方向と、風向センサーの矢羽根を表す。
【図５】風向センサーと風車の方向に偏差が出た場合に、その信号を増幅して、風車本体を正しい方向に向けるための、電気回路の概念図である。
【符号の説明】
【００１６】１    風防板
２    風車回転翼
３    風向センサー用矢羽根
４    上部軸受け  偏差検出用ホール素子内蔵
５    風車シャフト
６    風車本体の方向修正用モーター
７    風車本体の方向修正用ウォームギア
８    発電機
【図１】
2013044323.tif 000003
【図２】
2013044323.tif 000004
【図３】
2013044323.tif 000005
【図４】
2013044323.tif 000006
【図５】
2013044323.tif 000007
(57)【要約】【課題】従来の電気は金がかかりすぎ電気料金が高すぎる、燃料も大量に使い、ガス、や、一酸化炭素、も大量、地球全体、悪い、原子力はもっと、ひどい地球全体の生物、植物殺してしまう恐ろしい燃料である。【解決手段】燃料一切使用しない、テコ、浮き力、引力、で発電機械を駆動することが出来る  引力、回転機械。【選択図】図１
2013100804.tif 000002
【特許請求の範囲】
【請求項１】
心棒に対し偏心した円形の回転レールに案内されて心棒を回転される回転スライド平板の両端に回転重りを備え心棒の回転により発電機械を駆動する、引力、回転機械。
【発明の詳細な説明】
【技術分野】
【０００１】電気を一般、家庭、工場、に送ることに関する。
【背景技術】
【０００２】従来の発電所は膨大な土地、金が掛かりすぎる。
【先行技術文献】
【特許文献】
【０００３】
【特許文献１】引力回転機械
【発明の概要】
【発明が解決しようとする課題】
【０００４】大量に燃料を使いガス、一酸化炭素も大量、地球全体に悪い原発はもっとひどい地球上の生物、植物に害悪、全てを破戒する所まで来た。【０００５】本発明は、このような従来の構成が有していた問題を解決しようとするものであり、電力を作るのに、燃料を一切使用しない、機械を作ること。
【課題を解決するための手段】
【０００６】そして、本発明は上記目的を達成するために考た、地球上どこにでもある、引力、浮き力、を使用して燃料を消費せずに大型機械を駆動すること
小型にすれば家庭の１０〜２０軒分電気を送ることも工場内で設置可能。【０００７】上記第１の課題解決手段によると引力機械を回転し電力となり、排気ガスもでない回りの人や植物一切害になる物がなにひとつ出ない。快適な機械である。
【発明の効果】
【０００８】市、町、村、の電力を賄う機械を設置すことも出来る。又、工場の電力にあった機械を設置も可能である。
【図面の簡単な説明】
【０００９】
【図１】本発明の実施形態を示す回転部立面図の記号の説明をします。１、円形レール板取り付け柱。１０、上１と同じ。２、回転スライド、板１に固定。３、回転スライド心棒。４、中央心棒。５、回転コマ溝。６、上１と同じ。７、外枠。８、回転レール外枠。９、回転スライド重り、上より、１０、１１、１２、１３、１４。
【図２】本体断面図の記号説明をします。１、円形スライド板。２、回転重り。３、外枠本体。４、中央心棒。５、接近止メ座金。
【図３】中央心棒、断面図．スライド回転重りスライド板中巾で度数カット  １、０  ２、３０°．３、６０°．４、９０°．５、１２０°．６、１５０°．
【図４】スライド回転重り、立面図。１、重り。２、ボルト。３、スライド板。
【図５】スライド回転重り、平面図。１、重りボルト。２、スライド中。
【図６】断面図、スライド回転重り上より。１、２、３、４、５、６、枚。７、８、９、１０、１１、スライド外迴り心棒。１２、円形スライド心棒溝。１３、中央心棒。１４、円形板。
【発明を実施するための形態】
【００１０】以下、本発明の形態を図１〜図６、に基づいて説明します。
【００１１】図においは、外円形より内側に３．６ｍｍはいた所を芯にしてテコ、法則で重りが引力で下り始める、同じに心棒をも、回転スライドを繰り返す、テコ、と引力、の法測で円形レールに案内されて、回転駆動する。
【図１】
2013100804.tif 000003
【図２】
2013100804.tif 000004
【図３】
2013100804.tif 000005
【図４】
2013100804.tif 000006
【図５】
2013100804.tif 000007
【図６】
2013100804.tif 000008
(57)【要約】      （修正有）【課題】風まかせで安定した強力な回転力即ち発電力を得る事が出来ない点を解決する発電機を提供するものである。【解決手段】太陽光と位べ夜間でも雨天でも２４時間嫁動可能である風力を生かしきるためには微風を捕え回転し続ける羽根が必要であり発電機を考案したものであります。順次説明致しますと先ず従来の風力発電との決定的な違いはプロペラの形状であり両軸横長の三枚の羽根１でありその先端にそれぞれ端から端まで重り２を取り付けその遠心力で回り続けると同時に強力な回転力により高い出力を確保出来るものであります。次に初動に於いて重りの関係上微風では回転が難かしい場合は羽根の動きをセンサーで捕えセル、スターターで初動回転を起し遠心力により回転を維持し続ける事により発電力を高める事が出来る物であります。【選択図】図３
2013100809.tif 000002
【特許請求の範囲】
【請求項１】
横長３枚羽根の先端に重りを取り付け遠心力を利用して回転出力を高めた事。
【請求項２】
両軸でしっかりと羽根を受け止め軸ブレを無くし安定した回転を生みだし騒音を低減させ且つ２基の発電機を回転させた形状。
【請求項３】
微風時に低部羽根の動きを感知し初動スターターで回転を起しその回転を遠心力により維持し長時間の回転力を作り出した事。
【発明の詳細な説明】
【技術分野】
【０００１】本発明は両軸３枚羽根で羽根の先端に重りを取付け、その遠心力で以って強力な回転力により発電力を高める事が出来る物である。
【背景技術】
【０００２】従来の物はほとんどが飛行機のプロペラ型で本発明のような横型両軸で遠心力を利用したものは無かった。
【先行技術文献】
【０００３】
【発明の概要】
【発明が解決しようとする課題】
【０００４】従来の風力発電機は充分に風力を生し切れていない回転力は発電力に直結するのでいかにして微風でも捕えて回転力を増大させるかが課題である。
【課題を解決するための手段】
【０００５】本発明の風力発電機は図（３）に示す通り遠心力を最大限に生す事により回転力則ち発電力を高める事により電力不足の一助となればと発案したるものです
図（１）に示す発電機の形から従来の物とは全く異り横長３枚羽根符（１）を両軸で受け羽根の先端符（２）に重りを端から端まで取り付け微風でも初動スターターで回転を起しあとは遠心力の力で回転を持続させ、限りなく２４時間発電が可能である様に工夫したる物である
先ず第一に発電能力を高める事が最大の目的であり従来のプロペラ式とは全く形状も異り横型両軸式３枚羽根で羽根の先端に重りを取り付け遠心力により強力な回転力を生み出し発電するものであります。
次に微風時に羽根の動きをセンサーで捕えスターターで初動回転を起し遠心力により限りなく２４時間嫁動する様にする。
尚、次に両軸に各々発電機（４）を取り付け２基の発電機でバランスを保つ事により更に発電効率を高め且つ両軸により軸ブレを軽減する事により騒音を押える事も出来るものであります。
更に図（１）に示す通り従来の物と位べ型状が非常にコンパクトに収る事により設置架台の工夫により二段三段と積み上げて設置する事で狭小な場所でも発電出力を増す事も可能であります
【発明の効果】
【０００６】効果としては前述の通り遠心力により発電効率を上げる事が最大の効果であり利用者が経済的メリットを充分に享受出来る、則ち各個人が電気を自給自足出来る様にする事であります。
【図面の簡単な説明】
【０００７】
【図１】本発明の正面図である。
【図２】本発明の３枚羽根の側面図である。
【図３】本発明の３枚羽根の立体図である。
【発明を実施する為の形態】
【０００８】発明を実施するため順次説明すると図１、に、示す通り本風力発電機が従来のものと位べ全く異形である事分るように横長の両軸受けで３枚の羽根にはそれぞれ先端に端から端まで重りが取り付けられておりこの遠心力で以って出力の高い回転力を得る事が出来るのである  それを実施するために以下の事が必要である
（イ）当然の事でありますが３枚の羽根の形状と重量は厳格に同一で有る事と両軸にかかる負荷も同一にする事が求められ、これこそが遠心力を最大限に生かす事でありそれが強力な回転出力を生み出し発電力と成るのである
（ロ）次に３枚の羽根に付いては羽根本体（１）は軽くて強いガラス強化プラスチックを使用し重り（２）には雨による錆に強いステンレスでコーティングし鉄製とするこの重りの調整が重要となる
（ハ）雨や埃りから発電機等を守るため両側にコントロールボックス（４）を設けその中に調整ギア発電機及び微風時に低部羽根の振れを感知するサーモスタットセルスターターを収納する事によりこの様なコンパクトな形に成り持ち運びや設置が簡単に成るのであります。
【符号の説明】
【０００９】１、羽根本体
２、重り
３  主軸
４、コントロールボックス
５、本体台、
６、風向板
７、風向調整盤
【図１】
2013100809.tif 000003
【図２】
2013100809.tif 000004
【図３】
2013100809.tif 000005
(57)【要約】      （修正有）【課題】河川や海流などの緩流域での発電が可能な発電方法を提供する。【解決手段】可動式水受け羽根が一定の角度を保って円形の回転板に取り付けられ、円形の回転板が主軸に対し水平に複数枚取り付けられ、主軸上部に取り付けた機械式回転伝達部を経由して発電機を回転させ発電を行う、水車回転動力で発電する発電装置。【選択図】図２
2013100801.tif 000002
【特許請求の範囲】
【請求項１】
一定の角度を保ち動く、可動式水受け羽根を取り付けた円形の回転板を可動式水受け羽根の動作範囲までの間隔を開け、主軸に対し水平に複数枚取り付ける構造で構成される。
その事により流水エネルギーを最大限に利用し、又回転板の直径を変化させることにより、流水速度に応じた最大エネルギーを主軸上部に取り付けた機械式回転伝達部を経由し、その流水エネルギーにより発電機を回転させ発電しようとするものである。
【請求項２】
可動式水受け羽根を取り付けた円形の回転板は、流水による入水角度が３６０度と広範囲に入水可能となる特徴を持つため、海流などの様に潮の満ち引きによる逆流下においても同方向の回転エネルギーが得られるのが特徴である。
又、水受け羽根は可動式のため、順方向の流水により開く水受け羽根の対角線にある羽根は、流水圧力によって閉じられ流水圧による負荷を軽減させる役目も持つ。
【発明の詳細な説明】
【技術分野】
【０００１】
【背景技術】
【０００２】貯水ダムによる水力発電装置
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】［貯水ダムを必要としない発電装置］
【課題を解決するための手段】［貯水ダムによる高圧力落差エネルギー水からの脱却］
【発明の効果】［河川や海流などの緩流域での発電が可能な発電方法］
【図面の簡単な説明】
【図１】平面図［１は回転主軸で、２は回転板である、５は発電機本体である］
【図２】立面図［７は水受け羽根で、回転板２に接続し可動する、３は回転伝達プーリーである、８は全体の振動補強枠とする］
【発明を実施するための形態】
［水受け羽根を有する回転板を現況に応じて主軸に複数枚を取り付け水面に浮くフロートに設置する］
【産業上の利用可能性】［流動する河川や海水域など、全世界での利用が可能］
【図１】
2013100801.tif 000003
【図２】
2013100801.tif 000004
(57)【要約】      （修正有）【課題】空気の浮力を電力などの動力に変換する方式では、空気を深水部においてバケット等の容器に入れ、容器ごと水中を浮上する力を利用して、電力等のエネルギーに変換していた。しかし、この方式では、システム全体が複雑化し効率も良くなく、簡単な構造で液体中を浮上する気体の浮力から、効率良くエネルギーを取り出すシステムを提供する。【解決手段】液体を入れた導管内に、回転する羽根車を取り付け、導管の底部で気体を放出し、浮上する気体から液体の流れを発生させ、回転する羽根車からエネルギーを得る。気体は、電熱器等の加熱機器、排熱を必要とする設備、化学物質の化学反応、電気分解などにより発生させる。【選択図】図１
2013100802.tif 000002
【特許請求の範囲】
【請求項１】
液体中を入れた導管内に、回転する羽根を取り付ける。導管の底部で気体を放出し、浮上する気体から液体の流れを発生させ、液体の流れをあてた羽根からエネルギーを得るシステム
【請求項２】
電熱機等の加熱機器により液体を加熱し、気化させるシステムと［請求項１］の組み合わせ
【請求項３】
排熱を必要とする設備（たとえばコンピューターサーバーやエアコンのヒートポンプ）と［請求項２］の組み合わせた使用により、全体効率を上げる組み合わせ
【請求項４】
常温で液体となる窒素や酸素を周囲の液体の温度により気化させるシステムと［請求項１］の組み合わせ
【請求項５】
２種類以上の化学物質（例えば化石燃料と酸素）の化学反応から、気体を発生させるシステムと［請求項１］の組み合わせ
【請求項６】
導電性を有す液体を電気分解により気体を発生させるシステムと［請求項１］の組み合わせ
【請求項７】
微細な空隙を有す構造体を通じ、発生した気体を微小な気泡とするシステムと［請求項２］、［請求項３］、［請求項４］、［請求項５］、［請求項６］及び［請求項１］との組み合わせ。
【発明の詳細な説明】
【０００１】液体中を浮上する気体の浮力から、エネルギーを取り出す技術
【技術分野】
【０００２】本発明は、液体中に気体を放出し、浮上する気体から液体の流れを発生させ、この流れよりエネルギーを取り出すシステムである。
【発明が解決しようとする課題】
【０００３】これまでに、空気の浮力を電力などの動力に変換する方式では、特開２００８−３０３８６５（Ｐ２００８−３０３８６５Ａ）の様に、空気を深水部においてバッケト等の容器に入れ、容器ごと水中を浮上する力（浮力）を電力等のエネルギーに変換していた。
【０００４】この方式では、容器を水中で移動させる手段を必要とし、システム全体が複雑化すると共に、水の抵抗を受ける容器を移動させるため、エネルギー効率を低下させる原因となっている。
【０００５】簡易な構造で、効率的に気体の浮力をエネルギーに変換する方式を開発する必要があった。
【発明の概要】
【０００６】液体を満たした導管内に回転羽根を取り付ける。（図１参照）
導管底部へ気体を放出し、浮上する気体から液体の流れを発生させる。液体の流れを羽根に当て回転させることにより、効率良くエネルギーを変換するシステムを考案した。
【発明の効果】
【００７】気体の浮力によって生じる液体の流れを羽根に当てるため、気体を入れる容器や袋の類を必要とせず、従ってそれら容器を水中で移動させる必要がないことから、エネルギーを効率良く取り出す事ができる。
【主な用途】
【００８】本システムを用い、発電又はその他の動力エネルギーへ利用する事ができる。
【００９】ビル内のコンピューターサーバー等の排熱設備と組み合わせ、効率的な冷却とエネルギーの変換を可能とする。
【図１】
2013100802.tif 000003
【手続補正書】
【提出日】平成24年1月15日(2012.1.15)
【手続補正１】
【補正対象書類名】明細書
【補正対象項目名】全文
【補正方法】変更
【補正の内容】
【発明の詳細な説明】
【技術分野】
【０００１】本発明は、液体中に気体を放出し、浮上する気体から液体の流れを発生させ、この流れよりエネルギーを取り出すシステムである。
【発明が解決しようとする課題】
【０００２】これまでに、空気の浮力を電力などの動力に変換する方式では、特開２００８−３０３８６５（Ｐ２００８−３０３８６５Ａ）の様に、空気を深水部においてバッケト等の容器に入れ、容器ごと水中を浮上する力（浮力）を電力等のエネルギーに変換していた。
【０００３】この方式では、容器を水中で移動させる手段を必要とし、システム全体が複雑化すると共に、水の抵抗を受ける容器を移動させるため、エネルギー効率を低下させる原因となっている。
【０００４】簡易な構造で、効率的に気体の浮力をエネルギーに変換する方式を開発する必要があった。
【発明の概要】
【０００５】液体を満たした導管内に回転羽根を取り付ける。（図１参照）導管底部へ気体を放出し、浮上する気体から液体の流れを発生させる。液体の流れを羽根に当て回転させることにより、効率良くエネルギーを変換するシステムを考案した。
【発明の効果】
【０００６】気体の浮力によって生じる液体の流れを羽根に当てるため、気体を入れる容器や袋の類を必要とせず、従ってそれら容器を水中で移動させる必要がないことから、エネルギーを効率良く取り出す事ができる。
【主な用途】
【０００７】本システムを用い、発電又はその他の動力エネルギーへ利用する事ができる。
【０００８】ビル内のコンピューターサーバー等の排熱設備と組み合わせ、効率的な冷却とエネルギーの変換を可能とする。
【図面の簡単な説明】
【０００９】
【図１】本装置の概要を横方向より見た平面図である。
(57)【要約】【課題】  排ガスによる環境汚染を生ずることなく、蒸気ボイラと比較して蒸気発生効率が高く、しかもシステム構成を簡素化すること。【解決手段】 熱源水５から吸熱する蒸発器６，膨張機７，冷却水８へ放熱する凝縮器９および循環ポンプ１０を環状に接続したランキンサイクル２と、膨張機７により回転駆動される発電機３と、発電機３の短絡抵抗１１と、短絡抵抗１１の発熱を利用して蒸気を発生する蒸気発生器４とを含むことを特徴とする蒸気発生システム。【選択図】図１
2013100971.tif 000002
【特許請求の範囲】
【請求項１】
熱源水から吸熱する蒸発器，膨張機，冷却水へ放熱する凝縮器および循環ポンプを環状に接続したランキンサイクルと、
前記膨張機により回転駆動される発電機と、
前記発電機の短絡抵抗と、
前記短絡抵抗の発熱を利用して蒸気を発生する蒸気発生器とを含む
ことを特徴とする蒸気発生システム。
【発明の詳細な説明】
【技術分野】
【０００１】
この発明は、低温の熱源水から高温蒸気を生成する蒸気発生システムに関する。
【背景技術】
【０００２】
一般的に用いられている蒸気発生装置は、蒸気ボイラである。蒸気ボイラは、燃料を燃焼させるので、排ガスにより環境を汚染するとともに、蒸気発生効率が高くない。
【０００３】
この蒸気ボイラの課題を解決するものとして、特許文献１のような、冷媒を用いた間接加熱型圧縮式ヒートポンプにより蒸気を生成する蒸気発生システムが知られている。しかしながら、特許文献１の蒸気発生システムは、多段に冷媒回路を構成しないと低温の熱源水から高温蒸気を生成することが困難である。
【先行技術文献】
【特許文献】
【０００４】
【特許文献１】特開昭５８−４０４５１号公報
【発明の開示】
【発明が解決しようとする課題】
【０００５】
この発明が解決しようとする課題は、排ガスによる環境汚染を生ずることなく、蒸気ボイラと比較して蒸気発生効率が高く、しかもシステム構成を簡素化できる蒸気発生システムを提供することである。
【課題を解決するための手段】
【０００６】
この発明は、前記課題を解決するためになされたもので、請求項１に記載の発明は、熱源水から吸熱する蒸発器，膨張機，冷却水へ放熱する凝縮器および循環ポンプを環状に接続したランキンサイクルと、前記膨張機により回転駆動される発電機と、前記発電機の短絡抵抗と、前記短絡抵抗の発熱を利用して蒸気を発生する蒸気発生器とを含むことを特徴としている。
【発明の効果】
【０００７】
この発明によれば、ランキンサイクルを用いて熱源水から熱を汲み上げ、発電機の短絡抵抗で発生する熱を用いて蒸気を生成するので、排ガスによる環境汚染を生ずることなく、蒸気ボイラと比較して蒸気発生効率が高く、しかもシステム構成を簡素化できる蒸気発生システムを提供することができる。
【図面の簡単な説明】
【０００８】
【図１】この発明の実施の形態の概略構成を説明する説明図である。
【発明を実施するための形態】
【０００９】
この発明の蒸気発生システムの実施の形態を図１に従い説明する。図１において、実線矢示は、水の流れを示し、破線矢示は、冷媒の流れを示し、一点鎖線矢示は、電気の流れを示している。
【００１０】
＜実施の形態の構成＞
この実施の形態の蒸気発生システム１は、ランキンサイクル２と、発電機３と、蒸気発生器４とを主要部として備えている。
【００１１】
ランキンサイクル２は、熱源水５から吸熱する蒸発器６，膨張機７，冷却水８へ放熱する凝縮器９および循環ポンプ１０を環状に接続して構成している。熱源水５は、工場の排水などの低温排水で、その温度は、好ましくは、４０℃以上とする。
【００１２】
発電機３は、膨張機７に結合されて回転駆動されるように構成されており、公知のものが使用される。
【００１３】
蒸気発生器４は、発電機３に接続された短絡抵抗１１に短絡電流が流れることにより生ずる発熱を利用して蒸気を発生するように構成している。すなわち、短絡抵抗１１を電気ヒータとして給水１２を加熱して蒸気を発生させるように構成している。
【００１４】
＜実施の形態の動作＞
以上の構成を備える実施の形態の動作を図面に基づき説明する。
図１を参照して、循環ポンプ１０を駆動すると、蒸発器６にて低温の熱源水５から吸熱して冷媒が気化し、気化冷媒により膨張機７を回転させる。凝縮器９では、気化冷媒が冷却水８に放熱して凝縮し、液化した冷媒は循環ポンプ１０により、再び蒸発器６へ送られる。
【００１５】
そして、膨張機７の回転により、発電機３が発電し、発電により生じた電力は、短絡抵抗１１にて熱に変換される。その結果、蒸気発生器４にて給水１２を加熱して、飽和蒸気または過熱蒸気を生成する。
【００１６】
今、一例として、循環ポンプ１０を７．５kWで駆動する。そして、蒸発器６の熱源水５の入口温度を８５℃とし、出口温度を７５℃とし、熱源水の供給量を１２７t/hとすると、蒸発器６では、約１４７３kWの熱Ｑ１が吸収される。この例では、蒸発器６入口の冷媒温度を４０℃とすると、蒸発器６出口の冷媒温度が７２℃となる。
【００１７】
また、凝縮器９の冷却水８の入口温度を３２℃とし、出口温度を３７℃とし、冷却水の供給量を２１２t/hとすると、凝縮器９では、約１３４５kWの熱Ｑ２が冷却水８へ放出される。その結果、（Ｑ１−Ｑ２）の熱が、最終的に短絡抵抗１１で発熱量Ｑ３に変換されるが、途中の膨張機７，発電機３などでの熱ロスを考慮すると、発熱量Ｑ３をたとえば１００kW程度に見積もることができる。
【００１８】
そうすると、この一例では、蒸気発生効率ηは、η＝１００／７．５により、約１３．３となる。これは、この実施の形態の蒸気発生システム１の蒸気発生効率が、ボイラ効率の１３〜１４倍と高い値になることを示している。
【００１９】
以上の実施の形態によれば、燃料を燃焼させて蒸気を発生する蒸気ボイラと比較して、排ガスによる環境汚染を生ずることがない。また、蒸気ボイラと比較して蒸気発生効率が高く、しかも特許文献１の蒸気発生システムと比較して、冷媒回路を多重化すことなく、低温の熱源水から吸熱して高温の蒸気を発生できるので、構成を簡素化できる。
【００２０】
この発明は、前記実施の形態に限定されるものではなく、種々変更可能である。例えば、ランキンサイクル２は、前記実施の形態に限定されるものではない。
【符号の説明】
【００２１】
１          蒸気発生システム
２          ランキンサイクル
３          発電機
４          蒸気発生器
５          熱源水
６          蒸発器
７          膨張機
８          冷却水
９          凝縮器
１０          循環ポンプ
１１          短絡抵抗
【図１】
2013100971.tif 000003
(57)【要約】      （修正有）【課題】長い帯状の救命具を短時間で操作するには収納が課題で、収納には折り畳む方法と芯に巻き付ける方法があり、折り畳む方法には折り目ができ、瞬間的に強い空気圧力が係ると破裂の恐れがあります。そこで、救命具が容易に短時間で操作でき、水面で浮いて円滑に延ばせる補助具を提供する。【解決手段】収納方法で巻き付けて個体化する時、長い帯状の救命具ロを強い浮力を持つ芯イに巻き付けることに依り、水面上に浮いていることとなり、水面上での操作も容易になります。強い浮力を持つ芯に巻き付けることで、陸上と水上の連続した操作も可能で容易に出来ます。【選択図】図１
2013100071.tif 000002
【特許請求の範囲】
【請求項１】
巻き付ける救命具の重さに、耐え得る浮力を持つ芯であること。
【発明の詳細な説明】
【発明の概要】
【０００１】救命具が容易に短時間で操作でき、水面で浮いて円滑に延ばせる補助具を得ました。
【発明が解決しようとする課題】
【０００２】長い帯状の救命を短時間で操作するには、収納が課題で、収納には折り畳む方法と芯に巻き付ける方法があり、折り畳む方法には折り目ができ、瞬間的に強い空気圧力が係ると破裂の恐れがあります。一方巻き付ける方法には個体化して、水に浮かすことが困難です。
【発明が解決するための手段】
【０００３】収納方法で巻き付けて、個体化する時、強い浮力を持つ芯に巻き付けることに依り、水面上に浮いていることとなり、水面上での操作も容易になります。
【発明の効果】
【０００４】強い浮力を持つ芯に巻き付けることで、陸上と水上の連続した操作も可能で容易に出来ます。
【図面の簡単な説明】
【０００５】
【図１】は斜視図で、水に浮く芯に帯状の救命具を巻き付け、収納した図です。
【図面の符号の説明】
【０００６】イ．水に浮く円筒状の芯
ロ．帯状の救命具
【図１】
2013100071.tif 000003
(57)【要約】      （修正有）【課題】脚立または踏み台を持ち運ぶための、脱着が容易で運搬の過程において脚立による外部破損が発生しにくく損傷を防ぐ脚立収納袋を提供する。【解決手段】耐緩衝性のある繊維を用いて袋状に脚立収納袋１を形成し、この脚立収納袋１の胴体部２に肩に掛けて運搬するためのベルト３を設け、脚立収納袋１の側面と底部に側面のすべり止め部材７と底面のすべり止め部材６を設ける。【選択図】図１
2013100127.tif 000002
【特許請求の範囲】
【請求項１】
衣料用繊維素材を袋状に加工したものを特徴とする脚立収納袋
【請求項２】
脚立収納袋に肩に掛けて運搬するためのベルトを設けている特徴のある請求項１記載の脚立収納袋。
【請求項３】
脚立収納袋の側面と底部にすべり止め部材を設けたことを特徴とする請求項１または請求項２記載の脚立収納袋。
【発明の詳細な説明】
【技術分野】
【０００１】この発明は脚立を用いる作業に係わり、詳しくは脚立の運搬および収納する脚立収納袋に関するものである。
【発明の概要】
【発明が解決しようとする課題】
【０００２】脚立または踏み台はむき出しの状態で運搬されることが多く、室内への持込み時などに壁や廊下などに接触させ損傷させてしまう問題があった。さらに保管時は埃や粉塵がかかってしまうという問題があった。
【課題を解決するための手段】
【０００３】この発明に関わる脚立収納袋は、防汚素材と耐緩衝の素材を用いて袋状に加工されたものである。また、袋側面と底面に床に置いたときのすべり止めと防汚を目的としたすべり止め部材を設ける。さらに、脚立収納袋は運搬時のためにベルトを設けたものである。
【発明の効果】
【０００４】この発明のは、防汚素材と耐緩衝の素材を袋状に加工したものを脚立に被せることで運搬時に壁や廊下など外部に接触させたときの損傷を防ぐことができる。また、保管時は埃や粉塵を防ぐことができる。また、ベルトを設けたので、肩に掛けて運搬することができる。
【図面の簡単な説明】
【０００５】
【図１】この発明の脚立収納袋を示す正面図である。
【図２】この発明の脚立収納袋を脚立全体に被せた正面図である。
【図３】この発明の側面と底部にすべり止めを示した斜視図である。
【発明を実施するための形態】
【０００６】図１はこの発明の実施の形態を示す脚立収納袋の正面図である。図において１は脚立収納袋の繊維素材の部分であり、防汚素材と耐緩衝の素材を用いてある。２はゴム編み部であり５の開口部から約２ｃｍで加工されている。３はベルト部であり、脚立収納袋の側面に取り付けられており、長さは脚立本体の大きさによって３０ｃｍから５０ｃｍ程度である。
【０００７】図２はこの発明の実施の形態を示す脚立収納袋の正面図で脚立本体を収納させた図であり、４は脚立本体の格の部分である。脚立を脚立収納袋に被せない状態で運搬すると脚立の格の部分を肩に掛けて運搬するため肩に格の硬い部分があたり痛くなるため、３のように脚立を横にした状態で上部にベルトを設けている。また、ベルトの内側に持ち手をとりつけてもよい。２のゴム編みは脚立を被せるときに容易に着脱させることができる。
【０００８】図３はこの発明の実施の形態を示す脚立収納袋の側面と底部にすべり止めを示した斜視図である。図６は底面のすべり止め部材、７は側面のすべり止め部材であり大きさは５ｃｍ×３ｃｍで厚みは１ｃｍ程度である部材が四隅に取り付けられている。すべり止め部材の素材はゴム製で脚立を立てて保管するときや横に置いたときの転倒防止になる。すべり止め部材を取り付けることで脚立収納袋の繊維部分が床面に直接接触しないため、脚立収納袋の防汚になる。
【符号の説明】
【００１０】  １  脚立収納袋  ２  ゴム編み部  ３  ベルト  ４  脚立本体の格の部分  ５  開口部  ６  底面のすべり止め部材  ７  側面のすべり止め部材
明細書  １
【図１】
2013100127.tif 000003
【図２】
2013100127.tif 000004
【図３】
2013100127.tif 000005
(57)【要約】      （修正有）【課題】重ね着しないで済むように、ブラジャーの上部に布を設けた、おしゃれキャミブラを提供する。【解決手段】ブラジャー１の上部に布２を設け、ブラジャーと外出用の衣類が一緒になった、ブラジャーつきおしゃれ着を特徴とする。【選択図】図１
2013100618.tif 000002
【特許請求の範囲】
【請求項１】
ブラジャーの上部に布を設けたおしゃれキャミブラ。
【発明の詳細な説明】
【技術分野】
【０００１】
本発明は、ブラジャーの上部に布を設け、ブラジャーと外出用の衣類が一緒になった、おしゃれキャミブラに関するものである。
【背景技術】
【０００２】
従来ブラジャーは、インナーだけの用途で着用している。又、ブラジャーと外出用の衣類は別々になっている。
【先行技術文献】
【特許文献】
【０００３】
【特許文献１】特開２００５−１１３３３８
【特許文献２】特開２００１−３１６９１２
【非特許文献】
【０００４】
【非特許文献１】登録実用新案第３１５６９８９
【発明の概要】
【発明が解決しようとする課題】
【０００５】
解決しようとする問題点は、重ね着をすると手間がかかり、夏は特に重ね着をすると暑いので困ることが多かった点である。
【課題を解決するための手段】
【０００６】
ブラジャーの上部に布を設け、ブラジャーと外出用の衣類が一緒になった、ブラジャーつきおしゃれ着を特徴とする。
【発明の効果】
【０００７】
重ね着をする手間が省け、夏には少しでも涼しくなるという利点がある。又消費電力の節約にもつながる。
【図面の簡単な説明】
【０００８】
【図１】図１は正面図である。
【発明を実施するための形態】
【０００９】
ブラジャーの上部に布を設ける。この布は外出時でも露出可能になっている。以上のような構造である。
【実施例】
【００１０】
おしゃれキャミブラを体に身につけ、その上に他の衣類を着て外出する。
【産業上の利用可能性】
【００１１】
色々なデザインが考えられて、おしゃれが広がる。
【符号の説明】
【００１２】
１，ブラジャー    
２，布
【図１】
2013100618.tif 000003